(57)【要約】【課題】  十分に防犯効果を奏することができるとともにキーの紛失又は盗難時においても対応が比較的容易であるドアロック装置を提供する。【解決手段】  ＩＤコードを発信し得るトランスポンダ２ａを具備したキー２と、該キー２と係合可能とされて回転可能なロータ３と、トランスポンダ２ａから発信されたＩＤコードを受信し得るアンテナ５と、回転によりドアのロック機構を作動させて当該ドアの施錠又は解錠を行わせる作動部８と、アンテナ５で受信したＩＤコードが正規のものであるか否かを判定する判定手段１７と、該判定手段１７により当該ＩＤコードが正規のものと判定したことを条件として、ロータ３と作動部８とを連結させ、キー２の回転操作を作動部８に伝達させる連結手段７とを備えたドアロック装置である。【選択図】図２
2006057264.tif 000002
【特許請求の範囲】
【請求項１】
ドアのロック機構を作動させて当該ドアを施錠し閉状態を維持させ得るとともに、解錠して当該ドアを開状態とさせ得るドアロック装置において、
所定のＩＤコードを発信し得る発信手段を具備したキーと、
該キーと係合可能とされ、当該キーと共に回転可能なロータと、
前記キーから発信されたＩＤコードを受信し得る受信手段と、
回転により前記ロック機構を作動させて当該ドアの施錠又は解錠を行わせる作動部と、
前記受信手段で受信したＩＤコードが正規のものであるか否かを判定する判定手段と、
該判定手段により当該ＩＤコードが正規のものと判定したことを条件として、前記ロータと作動部とを連結させ、キーの回転操作を前記作動部に伝達させる連結手段と、
を備えたことを特徴とするドアロック装置。
【請求項２】
前記連結手段は、前記作動部側に配設されたコイルと、該コイルへの通電により突出又は没入する軸部材とを有し、突出した軸部材がロータに嵌合することにより前記ロータと作動部とを連結させることを特徴とする請求項１記載のドアロック装置。
【請求項３】
前記受信手段は、前記ロータに係合したキーの発信手段と対向する位置に配設されたことを特徴とする請求項１又は請求項２記載のドアロック装置。
【発明の詳細な説明】
【技術分野】
【０００１】
本発明は、ドアのロック機構を作動させて当該ドアを施錠し閉状態を維持させ得るとともに、解錠して当該ドアを開状態とさせ得るドアロック装置に関するものである。
【背景技術】
【０００２】
一般に、パチンコ遊技機における開閉扉は、遊技者等第三者による不正行為の防止を図るため、メカキー（タンブラ等の作用により開閉動作させるメカ的機構によるキー）を用いたドアロック装置により施錠又は解錠がなされるよう構成されている。例えばパチンコ遊技機の枠体（木枠等）に鍵穴を形成しておき、該鍵穴に挿通したメカキーを所定方向へ回動させると、遊技盤を透視し得るガラス窓のロックが解除されるとともに、他の方向へ回動させると、枠体全体のロックが解除されるようになっている。尚、かかる先行技術は、文献公知発明に係るものでないため、記載すべき先行技術文献情報はない。
【発明の開示】
【発明が解決しようとする課題】
【０００３】
しかしながら、上記従来のドアロック装置においては、メカキーを用いるものであるため、鍵穴にキー状のもの（正規のキーではない）を差し込み、無理矢理回動することによりロック機構を破壊してロック解除が行われたり、或いはピッキングにより不正にロック解除が行われたりする虞があり、防犯上十分なものではなかった。また、パチンコ遊技機の如く１つのメカキーにより複数の開閉扉のロック解除が行えるものにあっては、そのメカキーの紛失や盗難があった場合、全てのパチンコ遊技機における鍵穴を交換しなくてはならなってしまうという不具合もあった。
【０００４】
本発明は、このような事情に鑑みてなされたもので、十分に防犯効果を奏することができるとともにキーの紛失又は盗難時においても対応が比較的容易であるドアロック装置を提供することにある。
【課題を解決するための手段】
【０００５】
請求項１記載の発明は、ドアのロック機構を作動させて当該ドアを施錠し閉状態を維持させ得るとともに、解錠して当該ドアを開状態とさせ得るドアロックにおいて、所定のＩＤコードを発信し得る発信手段を具備したキーと、該キーと係合可能とされ、当該キーと共に回転可能なロータと、前記キーから発信されたＩＤコードを受信し得る受信手段と、回転により前記ロック機構を作動させて当該ドアの施錠又は解錠を行わせる作動部と、前記受信手段で受信したＩＤコードが正規のものであるか否かを判定する判定手段と、該判定手段により当該ＩＤコードが正規のものと判定したことを条件として、前記ロータと作動部とを連結させ、キーの回転操作を前記作動部に伝達させる連結手段とを備えたことを特徴とする。
【０００６】
請求項２記載の発明は、請求項１記載のドアロック装置において、前記連結手段は、前記作動部側に配設されたコイルと、該コイルへの通電により突出又は没入する軸部材とを有し、突出した軸部材がロータに嵌合することにより前記ロータと作動部とを連結させることを特徴とする。
【０００７】
請求項３記載の発明は、請求項１又は請求項２記載のドアロック装置において、前記受信手段は、前記ロータに係合したキーの発信手段と対向する位置に配設されたことを特徴とする。
【発明の効果】
【０００８】
請求項１の発明によれば、ＩＤコードの送受信によりロータと作動部とを連結させてロック機構によるドアの施錠又は解錠を可能としたので、メカキーによって施錠又は解錠を行わせるものに比べ、十分に防犯効果を奏することができるとともに、正規のＩＤコードを変更することによりキーの紛失又は盗難時においても対応が比較的容易である。
【０００９】
請求項２の発明によれば、突出した軸部材がロータに嵌合することによりロータと作動部とを連結させ、キーの回転操作によりドアの施錠又は解錠を可能としたので、構成が簡単で且つ確実な施錠又は解錠操作を行わせることができる。
【００１０】
請求項３の発明によれば、受信手段は、ロータに係合したキーの発信手段と対向する位置に配設されたので、微弱な電波等によりＩＤコードの送信が行われても、そのＩＤコードを確実に受信することができる。
【発明を実施するための最良の形態】
【００１１】
以下、本発明の実施形態について図面を参照しながら具体的に説明する。
本実施形態に係るドアロック装置は、パチンコ遊技機のドア（開閉扉）のロック機構を作動させて当該ドア（ガラス窓又は枠体）を施錠し閉状態を維持させ得るとともに、解錠して当該ドアを開状態とさせ得るものであり、図１及び図２に示すように、パチンコ遊技機の枠体側に固定されるドアロック装置本体１と、操作者が携帯し得るキー２とから主に構成されている。
【００１２】
キー２は、操作者が把持し得るマスコット部２ｂと、該マスコット部２ｂから円環状に延設されたキー部２ｃから主に成るとともに、所定のＩＤコードを電波にて発信し得るトランスポンダ２ａ（発信手段）をマスコット部２ｂの内部に具備したものである。かかるキー２におけるキー部２ｃは、ドアロック装置本体１に挿通される部位であり、その外周面には、図３に示すように、一対の凸部２ｃａが形成されている。
【００１３】
ドアロック装置本体１は、略円筒状に形成され、その基端側には側方に延びる一対の鍔部１ａが形成されている。かかる鍔部１ａには複数のネジ孔１ａａが形成されており、これらネジ孔１ａａにネジ等を挿通することにより、ドアロック装置本体１をパチンコ遊技機の枠体等に固定し得るようになっている。かかるドアロック装置本体１には、ロータ３と、固定部材４と、連結手段７と、作動部８とが配設されている。
【００１４】
ロータ３は、図４に示すように、その上部の所定箇所を切り欠いて形成された一対の係合部３ａを有しており、該係合部３ａとキー部２ｃの凸部２ｃａとが係合し得るよう構成されている。これにより、係合部３ａに凸部２ｃａを係合させた状態にてキー２を回転させると、ロータ３が固定部材４の側面に沿って回転可能とされている。また、ロータ３における図２中下面には、嵌合穴３ｂが形成されており、かかる嵌合穴３ｂに後述する連結手段７の軸部材１１が嵌合されない状態においては、ロータ３が回転しても作動部８を連れ回しせず、単に空回りだけするようになっている。
【００１５】
固定部材４は、同図に示すように、ドアロック装置本体１内に固定された略円筒状部材から成り、内部に受信手段としてのアンテナ５を有している。かかるアンテナ５は、トランスポンダ２ａで発信された電波を受けて、そのＩＤコードを受信するためのものであり、受信したＩＤコードは、基板６を介して保持部材４の側面に形成された配線Ｈにより基板１５側へ伝達されるよう構成されている。
【００１６】
基板１５は、ドアロック装置本体１の基端側に配設されたもので、図５に示すように、基板６を介してアンテナ５と電気的に接続されるとともに、コイル９とも接続されている。更に、基板１５からは図示しない配線が延設され、その先端は、ドア（開閉扉）の内側又は近傍に配設された判定手段１７と接続されている。かかる判定手段１７は、アンテナ５からＩＤコードが送信され、そのＩＤコードが予め設定された正規のものであるか否かを判定するためのもので、所定のユニット内に配設されたＩＣ等から成る。
【００１７】
作動部８は、回転軸１６を中心に回転可能とされ、回転によりドア（回転扉）が具備するロック機構を作動させて当該ドアの施錠又は解錠を行わせるもので、図６に示すように、一対の腕部８ａ及び８ｂが形成されている。これら腕部８ａ及び８ｂには、それぞれロック機構の一部であるリンクＲ１及びＲ２が当接されており、作動部８が同図ａ方向に回転すると、腕部８ａによりリンクＲ１が作動し、例えばパチンコ遊技機のガラス窓の解錠又は解錠を行わせるとともに、作動部８が同図ｂ方向に回転すると、腕部８ｂによりリンクＲ２が作動し、例えばパチンコ遊技機の枠体全体の施錠又は解錠を行わせることができるよう構成されている。
【００１８】
連結手段７は、判定手段１７によりアンテナ５で受信したＩＤコードが正規のものと判定したことを条件として、ロータ３と作動部８とを連結させ、キー２の回転操作を作動部８に伝達させるものであり、作動部８側に配設されたコイル９と、該コイル９内に配設された軸部材１１及び動作部材１２とを有している。コイル９は、ヨーク１０に巻着されて成り、図７に示すように、該ヨーク１０内に磁性体から成る軸部材１１及び非磁性体から成る動作部材１２が一体的化されつつ配設されている。
【００１９】
動作部材１２には、その底面から軸方向に延びる挿通穴１２ａが形成されており、該挿通穴１２ａに回転軸１６の上端側が挿通されている。かかる回転軸１６の上端側は、断面形状が小判型とされ、挿通穴１２ａの内周壁の形状と合致して嵌合しており、動作部材１２の回転力が回転軸１６へ伝達されるとともに、挿通穴１２ａ内での回転軸１６の上下方向の摺動を許容し得るよう構成されている。
【００２０】
更に、ヨーク１０の上部には、軸部材１１を挿通した挿通部材１４が配設されており、かかる挿通部材１４により当該軸部材１１のコイル９に対する出没動作を案内するよう構成されている。また、挿通部材１４と動作部材１２との間には、同図の如くスプリング１３が配設されており、当該動作部材１２及び軸部材１１が常時下方へ付勢されるよう構成されている。
【００２１】
上記構成により、判定手段１７にてアンテナ５にて受信したＩＤコードが正規のものであると判定されると、コイル９に対して通電して電流を流し、生じた磁力が軸部材１１に及ぼされる。かかる磁力により、軸部材１１及びこれと一体化された動作部材１２がスプリング１３の付勢力に抗して同図中上方へ移動し、軸部材１１の先端が挿通部材１４から突出するとともにロータ３の嵌合穴３ｂに嵌合して、当該ロータ３と作動部８とが連結されることとなる（図８参照）。
【００２２】
即ち、軸部材１１の先端側は、その断面形状が小判型に形成されており、嵌合穴３ｂの内周壁の形状と合致するよう構成されているので、図８の状態においては、キー２を所定方向へ回転させてロータ３を回転させると、その回転力が軸部材１１及び動作部材１２に伝達され、これら部材が回転することとなる。これにより、回転軸１６を介して作動部８も回転することとなり、既述の如くロック機構を作動させてドア（開閉扉）の施錠又は解錠を行わせることができる。
【００２３】
尚、アンテナ５にて受信したＩＤコードが正規のものでないと判定手段１７が判定した場合は、コイル９への通電が行われず、ロータ３と作動部８との連結がなされないので、キー２を回転させてロータ３を回転させても、その回転力が作動部８側に伝達されず、空回りするのみとなる。従って、従来のメカキーを用いたものに比べ、防犯効果を向上させることができる。
【００２４】
一方、ドア（開閉扉）の施錠又は解錠を行った後、キー２をドアロック装置本体１から遠ざけてトランスポンダ２ａから発信されるＩＤコードがアンテナ５に到達し得なくなると、コイル９への通電が遮断されるよう構成されており、これにより軸部材１１及び動作部材１２がスプリング１３の付勢力により初期状態（軸部材１１の先端が挿通部材１４に没入した状態）に戻り、ロータ３と作動部８との連結が解除されることとなる。
【００２５】
上記ドアロック装置によれば、ＩＤコードの送受信によりロータ３と作動部８とを連結させてロック機構によるドア（開閉扉）の施錠又は解錠を可能としたので、メカキーによって施錠又は解錠を行わせるものに比べ、十分に防犯効果を奏することができるとともに、正規のＩＤコードを変更することによりキーの紛失又は盗難時においても対応が比較的容易である。
【００２６】
また、連結手段７は、突出した軸部材１１がロータ３に嵌合することによりロータ３と作動部８とを連結させ、キー２の回転操作によりドアの施錠又は解錠を可能としたので、構成が簡単で且つ確実な施錠又は解錠操作を行わせることができる。更に、受信手段としてのアンテナ５がドアロック装置本体１の略中央上部に配設された固定部材４内に形成されているので、ロータ３に係合したキー２のトランスポンダ２ａと対向する位置となり、当該トランスポンダ２ａから微弱な電波等によりＩＤコードの送信が行われても、そのＩＤコードを確実に受信することができる。
【００２７】
以上、本実施形態に係るドアロック装置について説明したが、本発明はこれに限定されるものではなく、例えばパチンコ遊技機のドア（ガラス窓や枠体全体から成る開閉扉）の他、キーの左方向及び右方向の回転操作により施錠又は解錠対象が異なるスロットルマシン等のドア（開閉扉）に適用してもよい。また、キーを一方向に回転させて所定のドアの施錠又は解錠を行わせるものであってもよく、その場合、キャッシュレジスタ、ロッカー或いは宅配ボックス等、セキュリティーの必要なドアに適用することができる。
【００２８】
更に、本実施形態に係る連結手段７は、コイル９への通電によりロータ３に嵌合する軸部材１１から成るものであるが、これに代えて他の連結手段（例えば、小型モータやシリンダ等の駆動手段を駆動させてロータと作動部との連結を図るもの）としてもよい。尚、本実施形態に係る発信手段はトランスポンダから成り、電波にてＩＤコードを送信し得るものであるが、これに代えて赤外線等遠隔的に電子情報を送信し得るものとしてもよい。
【産業上の利用可能性】
【００２９】
キーが具備する発信手段から発信されたＩＤコードが正規のものと判定したことを条件として、ロータと作動部とを連結させ、キーの回転操作を作動部に伝達させてドアの施錠又は解錠を行わせるドアロック装置であれば、外観形状が異なるもの或いは他の機能が付加されたものにも適用することができる。
【図面の簡単な説明】
【００３０】
【図１】本発明の実施形態に係るドアロック装置を示す全体斜視図
【図２】同ドアロック装置を示す縦断面図
【図３】同ドアロック装置におけるキーを示す底面図及び側面図
【図４】同ドアロック装置におけるドアロック装置本体を取り外して内部構成を示す斜視図
【図５】同ドアロック装置における判定手段及び該判定手段と電気的に接続される構成部材を示すブロック図
【図６】同ドアロック装置における作動部を示す底面図
【図７】同ドアロック装置における連結手段（ロータと作動部との連結がなされていない状態）を示す断面図
【図８】同ドアロック装置における連結手段（ロータと作動部との連結がなされた状態）を示す断面図
【符号の説明】
【００３１】
１    ドアロック装置本体
２    キー
２ａ  トランスポンダ（発信手段）
３    ロータ
４    固定部材
５    アンテナ（受信手段）
６    基板
７    連結手段
８    作動部
９    コイル
１０  ヨーク
１１  軸部材
１２  動作部材
１３  スプリング
１４  挿通部材
１５  基板
１６  回転軸
１７  判定手段
【図１】
2006057264.tif 000003
【図２】
2006057264.tif 000004
【図３】
2006057264.tif 000005
【図４】
2006057264.tif 000006
【図５】
2006057264.tif 000007
【図６】
2006057264.tif 000008
【図７】
2006057264.tif 000009
【図８】
2006057264.tif 000010